(57)【要約】【課題】カメラモジュール内部での発塵を防止し、かつ、既存の異物のIRカットフィルタ上への侵入を抑制する。【解決手段】カメラモジュールの可動部と固定部を連結した弾性部材と、弾性部材と接触する可動部または、固定部の樹脂面との間に保護部材を備え、また、IR素子周囲の樹脂部材に溝、あるいは切り欠きを設け、その内側に粘着面を備える。【選択図】図２
2009175343.tif 000002
【特許請求の範囲】
【請求項１】
固定部と、
レンズを有し、かつ前記レンズの光軸方向に沿って移動可能なように前記固定部に支持された可動部と、
前記固定部と前記可動部とを連結する弾性部材と、
前記固定部に対して前記可動部が相対的に移動したときに前記固定部および前記可動部の少なくとも一方が前記弾性部材と衝突する箇所に設けられ、かつ前記弾性部材の硬度以上の硬度を有する保護部材とを備えた、カメラモジュール。
【請求項２】
前記固定部および前記可動部の少なくとも一方が、前記弾性部材と対向する箇所に凹部を有する、請求項１に記載のカメラモジュール。
【請求項３】
前記凹部の壁面が粘着面である、請求項２に記載のカメラモジュール。
【請求項４】
前記保護部材は前記弾性部材との接触部にリブを有している、請求項１に記載のカメラモジュール。
【請求項５】
前記保護部材と当接することにより、前記固定部に対して前記可動部を位置決めするための位置決め部材をさらに備えた、請求項１に記載のカメラモジュール。
【請求項６】
前記保護部材の表面が粘着面である、請求項１〜５のいずれかに記載のカメラモジュール。
【発明の詳細な説明】
【技術分野】
【０００１】
本発明は、カメラモジュールに関し、特に、レンズを有する可動部を移動可能なように弾性部材で固定部に連結したカメラモジュールに関するものである。
【背景技術】
【０００２】
カメラモジュールの一例が、特開２００６−２５１４６１号公報に開示されている。この公報に記載のレンズ駆動装置は、外筒部（固定部）と、レンズを備えるキャリア（可動部）と、キャリアを外筒部に対して支持するスプリングと、コイルと、マグネットとを有している。レンズを備える可動部は、スプリングにより固定部に連結され、かつコイルに通電して生じる電磁力によりレンズの光軸方向に移動する。
【特許文献１】特開２００６−２５１４６１号公報
【発明の開示】
【発明が解決しようとする課題】
【０００３】
上記のカメラモジュールでは、レンズを備える可動部が駆動した場合あるいは外力を受けた場合に、部材同士が接触し、その接触によってカメラモジュール内部に異物が生じる。その異物がカメラモジュールの中央部のＩＲ（Infrared）カットフィルタ上に侵入すると、カメラ撮影の際、異物が画像に写り込むという問題があった。
【０００４】
また、カメラモジュール内部の既存の異物が、可動部と固定部との隙間からＩＲカットフィルタ上に侵入し、カメラ撮影の際に画像に写り込むという問題があった。
【０００５】
本発明は、上記のような問題点を解決するためになされたものであり、その一の目的は、カメラモジュール内部での異物の発生を防ぐことのできるカメラモジュールを提供することである。
【０００６】
また本発明の他の目的は、既存の異物がＩＲカットフィルタ上へ侵入することを抑えられるカメラモジュールを提供することである。
【課題を解決するための手段】
【０００７】
本発明のカメラモジュールは、固定部と、可動部と、弾性部材と、保護部材とを備えている。可動部は、レンズを有し、かつそのレンズの光軸方向に沿って移動可能なように固定部に支持されている。弾性部材は、固定部と可動部とを連結している。保護部材は、固定部に対して可動部が相対的に移動したときに固定部および可動部の少なくとも一方が弾性部材と衝突する箇所に設けられ、かつ弾性部材の硬度以上の硬度を有している。
【発明の効果】
【０００８】
本発明のカメラモジュールによれば、固定部および可動部の少なくとも一方が弾性部材と衝突する箇所に保護部材が設けられている。このため、固定部に対して可動部が相対的に移動しても、弾性部材が固定部および可動部の少なくとも一方に直接接することはない。よって、弾性部材が固定部および可動部の少なくとも一方に直接接することで、固定部、可動部が削れて異物が生じることはない。
【０００９】
また固定部および可動部の少なくとも一方が弾性部材と衝突する箇所に保護部材が設けられている。このため、固定部に対して可動部が相対的に移動した場合、弾性部材は保護部材に接することになる。この保護部材は、弾性部材の硬度以上の硬度を有している。よって、保護部材が弾性部材と接しても削れることは抑えられ、異物の発生を防ぐことができる。
【００１０】
以上より、カメラモジュール内部での発塵を防止できるため、異物がＩＲカットフィルタ上に入り込むことを抑制することができる。
【発明を実施するための最良の形態】
【００１１】
以下、本発明のカメラモジュールの各種実施の形態について、図面に基づいて説明する。
【００１２】
（実施の形態１）
図１は本発明の実施の形態１におけるカメラモジュールの構成を概略的に示す分解斜視図である。また図２は、本発明の実施の形態１におけるカメラモジュールの構成を概略的に示す断面図である。図１および図２を参照して、本実施の形態のカメラモジュールは、可動部と、固定部と、弾性部材１０とを有している。
【００１３】
可動部は、レンズ４と、レンズホルダ５と、コイル６とを有している。レンズホルダ５は、たとえば円筒状の筒部（ホルダ部）５ａと、筒部５ａの一方端部において外周側に広がるフランジ部（キャリア部）５ｂとを有している。レンズ４は筒部５ａの内部に保持されている。コイル６は円筒形状を有しており、筒部５ａの外周を取り囲むようにフランジ部５ｂに保持されている。このコイル６は、レンズホルダ５の外周部にてレンズ４の光軸１が中心軸となるように巻かれている。
【００１４】
なお、このレンズホルダ５は、組立て後にレンズ４の位置を調整できるように、レンズ４を格納する筒部５ａとコイル６を設置するフランジ部５ｂとの二部品に分離可能な構造でもよい。
【００１５】
固定部は、ヨーク８と、樹脂フレーム９と、磁石７と、ＩＲカットフィルタ２と、保護部材１１とを有している。樹脂フレーム９は、平面視において矩形の外形を有し、かつ中央に円形の貫通孔９ａを有している。この樹脂フレーム９の材料には、たとえば液晶性ポリマー樹脂が用いられる。樹脂フレーム９の一方表面側にはヨーク８が取り付けられている。
【００１６】
ヨーク８は、略平坦状の上壁部８ａと、その上壁部８ａの四辺に立設して設けられた側壁部８ｂとを有している。上壁部８ａの中央部には、平面視において円形の貫通孔８ｃが設けられている。このヨーク８の側壁部８ｂの内周側に、磁石７が取り付けられている。
【００１７】
磁石７は、複数個（たとえば４個）の磁石部材から構成されており、複数個の磁石部材の各々はレンズ４の光軸１を中心とする円周上に配置されている。この磁石７によりコイル６に加わる磁場は、どの円周上においても一様であることが望ましい。
【００１８】
また、樹脂フレーム９の他方表面側には貫通孔９ａを覆うようにＩＲカットフィルタ２が貼り付けられている。ＩＲカットフィルタ２の下には撮像素子３が配置されている。
【００１９】
可動部と固定部とが組まれた状態において、レンズホルダ５の筒部５ａがヨーク８の上壁部８ａ中央の貫通孔８ｃ内に配置されている。またヨーク８の内部において、磁石７とコイル６とが互いに所定のクリアランスを介して対向するように、磁石７の内周側にコイル６が配置されている。
【００２０】
弾性部材１０は、可動部と固定部とを連結している。この弾性部材１０には、たとえば板バネやコイルバネが用いられる。弾性部材１０は、たとえば、内周側の輪形状をした可動部側接着部１０ａと、外周側の輪形状をした固定部側接着部１０ｃと、それら可動部側接着部１０ａおよび固定部側接着部１０ｃを繋ぐ複数本の腕部１０ｂとを有している。
【００２１】
可動部側接着部１０ａは筒部５ａの下端に接着されており、固定部側接着部１０ｃはヨーク８および樹脂フレーム９の双方に挟まれて双方に接着されている。腕部１０ｂは可動部および固定部のいずれにも接着されておらずフリーな状態にあり、かつ弾性を有している。これにより、可動部がレンズ４の光軸１の方向に沿って固定部に対して相対的に移動可能である。この可動部の可動範囲は、樹脂フレーム９の一方表面（図中上側の表面）とヨーク８の貫通孔８ｃの図中下側の端部との２点間で決められる。
【００２２】
保護部材１１は、固定部に対して可動部が相対的に移動したときに固定部および可動部の少なくとも一方が弾性部材１０と衝突（接触）する箇所に設けられている。本実施の形態においては、保護部材１１は樹脂フレーム９の一方表面（図中上側の表面）上であって、弾性部材１０の可動部側接着部１０ａと接触する部分に設けられている。
【００２３】
この保護部材１１は、弾性部材１０の硬度以上の硬度を有している。この硬度は、傷つき指標としての「引っかき硬度（鉛筆法）」（ＪＩＳ  Ｋ５６００−５−４参照）に基づいている。保護部材１１は、上記指標においてＨＢ鉛筆で傷のない硬度を有している。本実施の形態においては保護部材１１の材質には、たとえば弾性部材１０と同じ材料、あるいは金属、ガラス、セラミック等が用いられる。保護部材１１は、レンズ４の光軸１を取り囲むように全周に設けられてもよい。
【００２４】
なお固定部および可動部の少なくとも一方は、弾性部材１０と対向する箇所に凹部（溝、切欠）１２を有している。本実施の形態においては、弾性部材１０の腕部１０ｂと対向する樹脂フレーム９の一方表面に溝１２が設けられており、かつ弾性部材１０の腕部１０ｂと対向するレンズホルダ５のフランジ部５ｂの下面に溝１２が設けられている。
【００２５】
また上記凹部１２の壁面が粘着面１３である。本実施の形態においては、樹脂フレーム９の一方表面に設けられた溝１２の壁面およびレンズホルダ５のフランジ部５ｂの下面に設けられた溝１２の壁面の双方が粘着面１３となっている。この粘着面１３は、粘着テープを貼り付けることにより形成されている。
【００２６】
なお溝１２は、弾性部材１０の上下部分のみに設けるだけでなく、可動部のレンズホルダ５および固定部の樹脂フレーム９の全周に設けられてもよい。
【００２７】
次に、本実施の形態のカメラモジュールにおける可動部の動作について説明する。
図２を参照して、レンズ４側を上側、撮像素子３側を下側とする。可動部と固定部は弾性部材１０を介して連結しており、弾性部材１０の反力により、可動部は可動範囲の片側（図中上側）に寄せられて保持される。この状態から、コイル６に電流が流されることにより、可動部を図中下側へ移動させる電磁力が働く。この電磁力により可動部は図３に示すように図中下側に移動する。この際、可動部の位置は、上記の電磁力と弾性部材１０の復元力とが釣り合った位置となる。これによって、コイル６に流する電流量によって、可動部の図中上下方向の移動量を決定することができ、オートフォーカスを達成することができる。
【００２８】
なお上記においては、コイル６に電流を流さない状態で可動部が図中上側に位置している場合について説明したが、コイル６に電流を流さない状態で可動部が図中下側に位置し、コイル６に電流を流すことで可動部が図中上側に移動するようにされてもよい。
【００２９】
次に、本実施の形態のカメラモジュールの作用効果について説明する。
可動部は固定部に対して弾性部材１０で保持されているが、オートフォーカス機構が働く際のレンズ４を含む可動部の移動や、カメラモジュールに加わる外部からの加振力により、可動部が固定部との接触点で摩擦しながら運動することがある。また、弾性部材１０の腕部１０ｂは、たとえば、金属部材にエッチングやワイヤカット加工を施して作るため、腕部１０ｂの両側の端部に鋭いエッジ形状ができることが多々ある。このため、弾性部材１０のエッジ部分と固定部の接触点において、固定部を構成している、たとえば液晶ポリマー樹脂の表面がエッジ部分によって削られ、カメラモジュール内で異物となってしまう。また、液晶性ポリマー樹脂は、成型後の表面が荒れやすいという特徴があり、固定部あるいは弾性部材１０との接触点において、軽い衝撃や小さな振動でも異物が発生しやすい。
【００３０】
本実施の形態によれば、固定部が弾性部材１０と衝突する箇所に保護部材１１が設けられている。このため、固定部に対して可動部が相対的に移動しても、弾性部材１０が固定部に直接接することはない。よって、弾性部材１０が固定部に直接接することで、固定部が削れて異物が生じることはない。
【００３１】
また固定部が弾性部材１０と衝突する箇所に保護部材１１が設けられている。このため、固定部に対して可動部が相対的に移動した場合、弾性部材１０は保護部材１１に接することになる。この保護部材１１は、弾性部材１０の硬度以上の硬度を有している。よって、保護部材１１が弾性部材１０と接しても削れることは抑えられ、異物の発生を防ぐことができる。
【００３２】
以上より、カメラモジュール内部での発塵を防止できるため、異物がＩＲカットフィルタ上に入り込むことを抑制することができる。
【００３３】
また、弾性部材１０の腕部１０ｂと対向する可動部のレンズホルダ５および固定部の樹脂フレーム９に凹部（たとえば溝）１２が設けられている。このため、弾性部材１０の腕部１０ｂとレンズホルダ５および樹脂フレーム９とが接触することがない。この凹部１２によっても弾性部材１０と樹脂部材（レンズホルダ５および樹脂フレーム９）とが直接接触することを防げるため、カメラモジュール内部で、樹脂の磨耗や、削れによって異物が発生することがない。
【００３４】
また、レンズホルダ５および樹脂フレーム９の凹部（たとえば溝）１２の壁面が粘着面１３である。これにより、カメラモジュール内部に存在する既存の異物は粘着面１３により捕捉されるため、異物が可動部と固定部の隙間からＩＲカットフィルタ２上に入り込むことを抑制することができる。
【００３５】
また弾性部材１０は非常に薄い金属板で構成されており、この形状は、エッチングあるいは精密プレスで作られる。この際、弾性部材１０の断面における四隅のコーナー部分が鋭いエッジの形状となるため、このエッジが樹脂フレーム９に接触することで、樹脂フレーム９が削り取られ、発塵源となる。
【００３６】
そこで、弾性部材１０と固定部の樹脂フレーム９との接触部において、弾性部材１０の接触可能な領域の面積に対して、樹脂フレーム９側の接触部の面積を小さくして、弾性部材１０の端部のエッジ部分が樹脂フレーム９に接触しない構成とすることが好ましい。すなわち、可動部と固定部とが面接触する状態とすることが好ましい。たとえば、樹脂フレーム９に弾性部材１０の腕部１０ｂの幅よりも幅の小さい突起部を設けて、その突起部の先端が腕部１０ｂの中央部と接触するようにすることで、その突起部が腕部１０ｂのエッジ部分に接触することが防止される。
【００３７】
なお図２に示すように可動部が図中上端まで駆動した際に、たとえば金属と樹脂など、硬度の異なる部材同士が接触する場合、あるいはカメラモジュール上端部にも弾性部材１０を設けて弾性部材１０と樹脂部材とが接触する場合も同様に、接触部に保護部材１１を設けることにより発塵が防止されてもよい。
【００３８】
（実施の形態２）
図４は、本発明の実施の形態２におけるカメラモジュールの構成を概略的に示す断面図である。図４を参照して、本実施の形態のカメラモジュールの構成は、実施の形態１の構成と比較して、樹脂フレーム９、レンズホルダ５および保護部材１１の構成において異なっている。
【００３９】
本実施の形態においては、保護部材１１は、カメラモジュール内側に垂直な壁（リブ）１１ａを有しており、これによりＬ字型の断面形状を有している。この保護部材１１の垂直な壁（リブ）１１ａの上端は、可動部が図中下側に移動したときに、弾性部材１０の可動部側接着部１０ａと接触する部分である。保護部材１１は、カメラモジュールの中央を囲うように全周に設けられており、保護部材１１の垂直壁１１ａも全周に設けられている。この垂直壁１１ａの外周面は粘着面１３である。
【００４０】
また弾性部材１０の腕部１０ｂと対向する可動部のレンズホルダ５および固定部の樹脂フレーム９に凹部（たとえば溝）が設けられていない。
【００４１】
なお、上記以外の本実施の形態の構成においては、実施の形態１の構成とほぼ同じであるため、同一の要素については同一の符号を付し、その説明を繰り返さない。
【００４２】
本実施の形態によれば、固定部の樹脂フレーム９に保護部材１１を設けることで、弾性部材１０と樹脂フレーム９とが直接接触することがない。よって、弾性部材１０が固定部に直接接することで、固定部が削れて異物が生じることはない。
【００４３】
また固定部が弾性部材１０と衝突する箇所に保護部材１１が設けられており、保護部材１１は、弾性部材１０の硬度以上の硬度を有している。よって、保護部材１１が弾性部材１０と接しても削れることは抑えられ、異物の発生を防ぐことができる。
【００４４】
以上より、カメラモジュール内部での発塵を防止できるため、異物がＩＲカットフィルタ上に入り込むことを抑制することができる。
【００４５】
また、保護部材１１の垂直壁１１ａが弾性部材１０の可動部側接着部１０ａに接触することで、可動部側接着部１０ａが固定部側接着部１０ｃと同じ高さまで下がることはない。このため、弾性部材１０の腕部１０ｂとレンズホルダ５の間には常に空間ができ、接触することがない。よって、弾性部材１０の腕部１０ｂと対向する可動部のレンズホルダ５および固定部の樹脂フレーム９に凹部を設ける必要がないため、製造コストを抑えることができる。
【００４６】
また、保護部材１１はカメラモジュール内部の全周を囲っており、保護部材１１の垂直壁１１ａの外周面は粘着面１３であるため、カメラモジュール内部に存在する既存の異物は粘着面１３で捕捉される。これにより、異物が可動部と固定部との隙間からＩＲカットフィルタ２上に入り込むことを抑制することができる。
【００４７】
なお保護部材１１は、カメラモジュール内部の全周を囲っていなくてもよく、弾性部材１０の腕部１０ｂ周辺にのみ設けられていてもよい。また、弾性部材１０と保護部材１１とが一部品で構成され、弾性部材１０の外周側端部が折り返されて、可動部側接着部１０ａとの接触部分においてＬ字断面形状とされて保護部材１１の機能を持つように構成されてもよい。
【００４８】
（実施の形態３）
図５は、本発明の実施の形態３におけるカメラモジュールの構成を概略的に示す断面図である。図５を参照して、本実施の形態のカメラモジュールの構成は、実施の形態１の構成と比較して、樹脂フレーム９、レンズホルダ５および保護部材１１の構成が異なる点および位置決め部材１４が追加された点において異なっている。
【００４９】
本実施の形態においては、保護部材１１は略Ｖ字型の断面形状を有している。保護部材１１の略Ｖ字型の外周側の壁部１１ｃが樹脂フレーム９の内周側の壁面に取り付けられている。また保護部材１１の略Ｖ字型の内周側の壁部１１ｂは、上側ほど内周側に位置するテーパ部１１ｂ1と、そのテーパ部１１ｂ1上に位置する垂直部１１ｂ2とを有している。この垂直部１１ｂ2の上端は樹脂フレーム９の上面よりも上方へ突き出している。
【００５０】
また本実施の形態においては、弾性部材１０の可動部側接着部１０ａに位置決め部材１４が取り付けられている。この位置決め部材１４はＬ字型の断面形状を有している。位置決め部材１４は、可動部側接着部１０ａに取り付けるための取付部１４ａと、その取付部１４ａの外周側端部から下方に伸びる垂直壁１４ｂとを有している。
【００５１】
垂直壁１４ｂが保護部材１１の外周側の壁部１１ｃと内周側の壁部１１ｂとの間に入り、かつ可動部が下側に移動したときに垂直壁１４ｂがテーパ部１１ｂ1に接触するように位置決め部材１４は配置されている。また位置決め部材１４の垂直壁１４ｂの外周面は粘着面１３である。
【００５２】
保護部材１１および位置決め部材１４の各々は、カメラモジュールの中央を囲うように全周に設けられていることが好ましい。
【００５３】
また弾性部材１０の腕部１０ｂと対向する可動部のレンズホルダ５および固定部の樹脂フレーム９に凹部（たとえば溝）が設けられていない。
【００５４】
なお、上記以外の本実施の形態の構成においては、実施の形態１の構成とほぼ同じであるため、同一の要素については同一の符号を付し、その説明を繰り返さない。
【００５５】
本実施の形態によれば、固定部の樹脂フレーム９に保護部材１１を設けることで、弾性部材１０と樹脂フレーム９とが直接接触することがない。よって、弾性部材１０が固定部に直接接することで、固定部が削れて異物が生じることはない。
【００５６】
また固定部が弾性部材１０と衝突する箇所に保護部材１１が設けられており、保護部材１１は、弾性部材１０の硬度以上の硬度を有している。よって、保護部材１１が弾性部材１０と接しても削れることは抑えられ、異物の発生を防ぐことができる。
【００５７】
以上より、カメラモジュール内部での発塵を防止できるため、異物がＩＲカットフィルタ上に入り込むことを抑制することができる。
【００５８】
また、保護部材１１の垂直部１１ｂ2の上端が位置決め部材１４の取付部１４ａに接触することで、可動部側接着部１０ａが固定部側接着部１０ｃと同じ高さまで下がることはない。このため、弾性部材１０の腕部１０ｂとレンズホルダ５の間には常に空間ができ、接触することがない。よって、弾性部材１０の腕部１０ｂと対向する可動部のレンズホルダ５および固定部の樹脂フレーム９に凹部を設ける必要がないため、製造コストを抑えることができる。
【００５９】
また、位置決め部材１４はカメラモジュール内部の全周を囲っており、位置決め部材１４の垂直壁１４ｂの外周面は粘着面１３であるため、カメラモジュール内部に存在する既存の異物は粘着面１３で捕捉される。これにより、異物が可動部と固定部との隙間からＩＲカットフィルタ２上に入り込むことを抑制することができる。
【００６０】
また、可動部が下側に移動したときに位置決め部材１４の垂直壁１４ｂがテーパ部１１ｂ1に接触することで、可動部が固定部の中心に位置決めされる。また位置決め部材１４の垂直壁１４ｂがテーパ部１１ｂ1に接触することで、可動部が下端まで駆動した際に固定部に対する可動部のズレを抑えることができ、衝撃や振動などの外力が加わっても可動部は動かないため、摩擦や削れにより発塵することがない。
【００６１】
なお保護部材１１および位置決め部材１４の各々は、カメラモジュール内部の全周を囲っていなくてもよく、弾性部材１０の腕部１０ｂ周辺にのみ設けられていてもよい。
【００６２】
（実施の形態４）
図６は、本発明の実施の形態４におけるカメラモジュールの構成を概略的に示す断面図である。図６を参照して、本実施の形態のカメラモジュールの構成は、実施の形態１の構成と比較して、レンズホルダ５にも保護部材１１が取り付けられている点において異なっている。
【００６３】
本実施の形態においては、レンズホルダ５の弾性部材１０の腕部１０ｂと対向する面に凹部１２が設けられており、その凹部１２に保護部材１１が取り付けられている。この凹部１２およびその凹部１２内の保護部材１１は、カメラモジュールの中央を囲うように全周に設けられていてもよく、また弾性部材１０の腕部１０ｂ周辺にのみ設けられていてもよい。
【００６４】
なお、上記以外の本実施の形態の構成においては、実施の形態１の構成とほぼ同じであるため、同一の要素については同一の符号を付し、その説明を繰り返さない。
【００６５】
本実施の形態によれば、固定部の樹脂フレーム９および可動部のレンズホルダ５の各々に保護部材１１を設けることで、樹脂フレーム９および可動部のレンズホルダ５の各々が弾性部材１０と直接接触することがない。よって、弾性部材１０が固定部および可動部に直接接することで、固定部および可動部が削れて異物が生じることはない。
【００６６】
また固定部および可動部が弾性部材１０と衝突する箇所に保護部材１１が設けられており、保護部材１１は、弾性部材１０の硬度以上の硬度を有している。よって、保護部材１１が弾性部材１０と接しても削れることは抑えられ、異物の発生を防ぐことができる。
【００６７】
以上より、カメラモジュール内部での発塵を防止できるため、異物がＩＲカットフィルタ上に入り込むことを抑制することができる。
【００６８】
本実施の形態のように保護部材１１は、固定部および可動部の少なくともいずれか一方に取り付けられていればよい。つまり、保護部材１１は、固定部のみに取り付けられていてもよく、また可動部のみに取り付けられていてもよく、また固定部および可動部の双方に取り付けられていてもよい。
【００６９】
また実施の形態１〜４においては保護部材１１の表面および位置決め部材１４の表面が粘着面であってもよい。
【００７０】
以上のように本発明の実施の形態について説明を行ったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【００７１】
本発明は、レンズを有する可動部を移動可能なように弾性部材で固定部に連結したカメラモジュールに特に有利に適用され得る。
【図面の簡単な説明】
【００７２】
【図１】本発明の実施の形態１におけるカメラモジュールの構成を概略的に示す分解斜視図である。
【図２】本発明の実施の形態１におけるカメラモジュールの構成を概略的に示す断面図である。
【図３】本発明の実施の形態１におけるカメラモジュールの可動部が駆動可能範囲の下端まで降りた時のカメラモジュールの構成を概略的に示す断面図である。
【図４】本発明の実施の形態２におけるカメラモジュールの構成を概略的に示す断面図である。
【図５】本発明の実施の形態３におけるカメラモジュールの構成を概略的に示す断面図である。
【図６】本発明の実施の形態４におけるカメラモジュールの構成を概略的に示す断面図である。
【符号の説明】
【００７３】
１  光軸、２  ＩＲカットフィルタ、３  撮像素子、４  レンズ、５  レンズホルダ、５ａ  筒部、５ｂ  フランジ部、６  コイル、７  磁石、８  ヨーク、８ａ  上壁部、８ｂ  側壁部、８ｃ  貫通孔、９  樹脂フレーム、９ａ  貫通孔、１０  弾性部材、１０ａ  可動部側接着部、１０ｂ  腕部、１０ｃ  固定部側接着部、１１  保護部材、１１ａ  垂直壁、１１ｂ  内周側の壁部、１１ｂ1  テーパ部、１１ｂ2  垂直部、１１ｃ  外周側の壁部、１２  凹部、１３  粘着面、１４  位置決め部材、１４ａ  取付部、１４ｂ  垂直壁。
【図１】
2009175343.tif 000003
【図２】
2009175343.tif 000004
【図３】
2009175343.tif 000005
【図４】
2009175343.tif 000006
【図５】
2009175343.tif 000007
【図６】
2009175343.tif 000008